(57)【特許請求の範囲】
【請求項１】
水中で駆動され、または駆動する回転電機であって、
回転軸まわりに回転可能に軸支されたロータシャフトと、そのロータシャフトに固定された回転子鉄心とを有する回転子と、
前記ロータシャフトの軸方向の前記回転子鉄心を挟んだ位置にそれぞれ配設され、前記ロータシャフトを支持する２つの軸受と、
前記回転子鉄心の径方向外側に配された固定子鉄心と、前記固定子鉄心に巻回された固定子巻線とを有する固定子と、
前記回転子鉄心および前記固定子を収納し、前記回転子鉄心および前記固定子の冷却用の冷却水を内包するフレームと、
前記フレームに固定支持され前記２つの軸受をそれぞれ支持する２つの軸受ブラケットと、
イオン除去装置と、
を備え、
前記イオン除去装置は、
前記冷却水中のイオンを除去するためのイオン交換樹脂としての陽イオン交換樹脂と、
前記イオン交換樹脂を収納し、前記冷却水が通過可能に形成された樹脂収納部と、
前記フレームの外側に設けられて前記樹脂収納部を収納し、前記フレームとの間に連通開口が形成されたケーシングと、
駆動対象であるポンプの出口側のポンプ出口配管と前記ケーシングとを接続する冷却水入口配管と、
前記ポンプの入口側のポンプ入口配管と前記フレームにおいて前記連通開口と前記固定子を挟んで軸方向に反対側の部分とを接続する冷却水出口配管と、
を具備することを特徴とする回転電機。
【請求項２】
水中で駆動され、または駆動する回転電機であって、
回転軸まわりに回転可能に軸支されたロータシャフトと、そのロータシャフトに固定された回転子鉄心とを有する回転子と、
前記ロータシャフトの軸方向の前記回転子鉄心を挟んだ位置にそれぞれ配設され、前記ロータシャフトを支持する２つの軸受と、
前記回転子鉄心の径方向外側に配された固定子鉄心と、前記固定子鉄心に巻回された固定子巻線とを有する固定子と、
前記回転子鉄心および前記固定子を収納し、前記回転子鉄心および前記固定子の冷却用の冷却水を内包するフレームと、
前記フレームに固定支持され前記２つの軸受をそれぞれ支持する２つの軸受ブラケットと、
前記冷却水中のイオンを除去するためのイオン交換樹脂としての陽イオン交換樹脂を有するイオン除去装置と、
前記イオン交換樹脂を収納し、前記冷却水が通過可能に形成された樹脂収納部と、
前記フレームの外側に設けられて前記樹脂収納部を収納し、前記フレームとの間に連通開口が形成されたケーシングと、
前記ロータシャフトに取り付けられた循環用プロペラと、
を備え、
前記ケーシングと前記フレームとは互いにあいまって密閉空間を形成し、前記冷却水が前記ケーシング内の前記イオン交換樹脂を通過した後に前記フレーム内に流入可能に連通しており、前記フレーム内に流入した冷却水が前記軸方向に前記固定子が配設された領域を通過後に再び前記ケーシング内に流入可能に連通していることを特徴とする回転電機。
【請求項３】
前記ケーシングには、前記イオン交換樹脂を交換するための出し入れ口が形成され、前記出し入れ口を密閉して閉止する開閉蓋が取り付けられていることを特徴とする請求項１または請求項２に記載の回転電機。
【発明の詳細な説明】
【技術分野】
【０００１】
本発明は、水中で駆動され、または駆動する回転電機に関する。
【背景技術】
【０００２】
水中に配置され、直接に水に晒されながら使用されるケーブルは、通常、導電体である銅線が高分子材料等からなる絶縁部で覆われている。ここで、高分子材料には、例えばポリエチレンなどの熱可塑性樹脂や架橋ポリエチレン（Ｃｒｏｓｓ−Ｌｉｎｋｅｄ  Ｐｏｌｙｅｔｈｙｌｅｎｅ、以下、ＸＬＰＥと呼ぶ。）等の熱硬化性樹脂が用いられることが多い。
【０００３】
水中に配置されるこれら絶縁ケーブルでは、５０Ｈｚや６０Ｈｚの商用周波数の交流電圧を発生する電源装置あるいは各種周波数の交流電圧を発生する直流交流変換電源装置から発生する交流電圧が印加され、伝搬する。
【０００４】
上記のような状態でこのような絶縁ケーブルを、交流電圧を作用させた状態のもとで、数年間水中において使用すると、ＸＬＰＥ等の絶縁部に水トリーが発生し進展する可能性がある。水トリーとは、長時間にわたって水が共存する状態で、絶縁部に電界が作用したときに、絶縁部の絶縁材料に生じるトリー（樹枝）状の絶縁劣化現象であることが知られている。
【先行技術文献】
【特許文献】
【０００５】
【特許文献１】特許第３６０００６２号公報
【特許文献２】特開昭５８−１７２９５２号公報
【特許文献３】特公平４−１６８８５号公報
【発明の概要】
【発明が解決しようとする課題】
【０００６】
水中で駆動され、または駆動する電動機などの回転電機においては、以上のようにその絶縁部が水中環境内に置かれて使用される。このような条件のもとに、水トリーの進展による絶縁性能の劣化状態を監視することが重要であり、監視のための技術が知られている（特許文献１参照）。劣化状態の監視は重要ではあるが、劣化の進展を抑制しようとするものではない。
【０００７】
劣化の進展を抑制する技術に関しては、たとえば、３相電動機の場合において、巻線の電源側部分と中性点側部分とでは、より高い電圧が付加される電源側部分での劣化の進展が速いため、巻線の電源側の端子と中性点側の端子とを交互に入れ替える技術が知られている（特許文献２参照）。しかしながら、この技術は、あくまで水トリーの進展環境が存在する条件の下において、巻線のそれぞれの部分への影響を平均化して、寿命を延ばそうとするものである。
【０００８】
また、ケーブルの電気絶縁物中にイオン交換物質を混入させる技術が知られている（特許文献３参照）。しかしながら、イオン交換物質は、飽和するため、飽和した後の処置、たとえばイオン交換物質の交換などの対策が難しい。
【０００９】
このため、特に水中で使用される回転電機の信頼性をさらに長期的に確保する技術が望まれる。本発明は、回転電機の絶縁部の水トリー現象の発生、進展を抑制することを目的とする。
【課題を解決するための手段】
【００１０】
上述の目的を達成するため、本発明は、水中で駆動され、または駆動する回転電機であって、回転軸まわりに回転可能に軸支されたロータシャフトと、そのロータシャフトに固定された回転子鉄心とを有する回転子と、前記ロータシャフトの軸方向の前記回転子鉄心を挟んだ位置にそれぞれ配設され、前記ロータシャフトを支持する２つの軸受と、前記回転子鉄心の径方向外側に配された固定子鉄心と、前記固定子鉄心に巻回された固定子巻線とを有する固定子と、前記回転子鉄心および前記固定子を収納し、前記回転子鉄心および前記固定子の冷却用の冷却水を内包するフレームと、前記フレームに固定支持され前記２つの軸受をそれぞれ支持する２つの軸受ブラケットと、イオン除去装置と、を備え、前記イオン除去装置は、前記冷却水中のイオンを除去するためのイオン交換樹脂としての陽イオン交換樹脂と、前記イオン交換樹脂を収納し、前記冷却水が通過可能に形成された樹脂収納部と、前記フレームの外側に設けられて前記樹脂収納部を収納し、前記フレームとの間に連通開口が形成されたケーシングと、駆動対象であるポンプの出口側のポンプ出口配管と前記ケーシングとを接続する冷却水入口配管と、前記ポンプの入口側のポンプ入口配管と前記フレームにおいて前記連通開口と前記固定子を挟んで軸方向に反対側の部分とを接続する冷却水出口配管と、を具備することを特徴とする。
また、本発明は、水中で駆動され、または駆動する回転電機であって、回転軸まわりに回転可能に軸支されたロータシャフトと、そのロータシャフトに固定された回転子鉄心とを有する回転子と、前記ロータシャフトの軸方向の前記回転子鉄心を挟んだ位置にそれぞれ配設され、前記ロータシャフトを支持する２つの軸受と、前記回転子鉄心の径方向外側に配された固定子鉄心と、前記固定子鉄心に巻回された固定子巻線とを有する固定子と、前記回転子鉄心および前記固定子を収納し、前記回転子鉄心および前記固定子の冷却用の冷却水を内包するフレームと、前記フレームに固定支持され前記２つの軸受をそれぞれ支持する２つの軸受ブラケットと、前記冷却水中のイオンを除去するためのイオン交換樹脂としての陽イオン交換樹脂を有するイオン除去装置と、前記イオン交換樹脂を収納し、前記冷却水が通過可能に形成された樹脂収納部と、前記フレームの外側に設けられて前記樹脂収納部を収納し、前記フレームとの間に連通開口が形成されたケーシングと、前記ロータシャフトに取り付けられた循環用プロペラと、を備え、前記ケーシングと前記フレームとは互いにあいまって密閉空間を形成し、前記冷却水が前記ケーシング内の前記イオン交換樹脂を通過した後に前記フレーム内に流入可能に連通しており、前記フレーム内に流入した冷却水が前記軸方向に前記固定子が配設された領域を通過後に再び前記ケーシング内に流入可能に連通していることを特徴とする。
【発明の効果】
【００１１】
本発明によれば、回転電機の絶縁部の水トリー現象の発生、進展を抑制することができる。
【図面の簡単な説明】
【００１２】
【図１】本発明の第１の実施形態に係る回転電機の構成を示す立断面図である。
【図２】本発明の第２の実施形態に係る回転電機の構成を示す立断面図である。
【図３】本発明の第３の実施形態に係る回転電機の構成を示す立断面図である。
【発明を実施するための形態】
【００１３】
以下、図面を参照して、本発明の実施形態に係る回転電機について説明する。ここで、互いに同一または類似の部分には、共通の符号を付して、重複説明は省略する。
【００１４】
［第１の実施形態］
図１は、本発明の第１の実施形態に係る回転電機の構成を示す立断面図である。回転電機１００は、水中で駆動する対象機器であるポンプ１を駆動する。すなわち、回転電機１００は、ポンプ入口配管３内の水をポンプ出口配管４に送水するポンプ１を駆動する。本実施形態においては、回転電機１００は、空気などの環境雰囲気２０２内に設置されており、回転子１０、固定子２０、イオン除去装置５０を有する。
【００１５】
回転子１０は、軸を水平に設けられ可能に軸支されたロータシャフト１１と、ロータシャフト１１の径方向の外側に設けられた回転子鉄心１２、およびロータシャフト１１に取り付けられた循環用プロペラ１３を有する。ロータシャフト１１の回転子鉄心１２を挟んだ両側は、それぞれ軸受３１により支持されている。なお、循環用プロペラ１３は、必ずしも設けられていなくともよい。
【００１６】
固定子２０は、回転子鉄心１２の径方向外側に設けられた固定子鉄心２１、固定子鉄心２１の内周面に形成されて軸方向に延びた複数のスロット（図示せず）内を通るように設けられた固定子巻線２２を有する。
【００１７】
回転子鉄心１２および固定子２０は、フレーム３５内に収納されている。フレーム３５の水平方向の両端は開放されており、それぞれの開放部を閉止するように、それぞれ軸受ブラケット３６が設けられている。それぞれの軸受ブラケット３６は軸受３１を支持している。
【００１８】
フレーム３５の外側には、イオン除去装置５０が設けられている。イオン除去装置５０は、ケーシング５１、ケーシング５１内に収納されたイオン交換樹脂５２、冷却水入口配管５７、冷却水出口配管５８を有する。イオン交換樹脂５２は、粒状であり樹脂収納部５２ａ内に収納されている。イオン交換樹脂５２は、少なくとも陽イオン交換樹脂を含む。
【００１９】
陽イオン交換樹脂としては、強酸性陽イオン交換樹脂と弱酸性陽イオン交換樹脂がある。強酸性陽イオン交換樹脂は、たとえば、スルホン酸基（−ＳＯ３Ｈ）を交換基として有する。強酸性陽イオン交換樹脂は、塩酸、硫酸などと同様に解離して強酸性を示し、陽イオンを交換することができる。強酸性陽イオン交換樹脂は、全てのｐＨ領域で使用できる。
【００２０】
弱酸性陽イオン交換樹脂は、たとえば、カルボン酸基（−ＣＯＯＨ）を交換基として有する。使用できるｐＨ範囲に制限がある。弱酸性陽イオン交換樹脂の各種イオンに対する吸着の強さ（選択性）は強酸性陽イオン交換樹脂と大体類似していて、価数が高いイオン程選択性が大きくなるが、水素イオンに対する選択性が非常に大きい。
【００２１】
樹脂収納部５２ａは、イオン交換樹脂５２内を収納するとともに、冷却水２０１が通過可能に形成されている。樹脂収納部５２ａは、たとえば、バスケット、多孔板で構成された容器、あるいは、冷却水の流路方向に延びたカラムでもよい。あるいは、金網製の容器でもよい。
【００２２】
ケーシング５１は、フレーム３５の外側に取り付けられており、ケーシング５１内の空間とフレーム３５内の空間とは、連通開口３５ａで直接に連結されている。樹脂収納部５２ａは、ケーシング５１に脱着可能に取り付けられている。ケーシング５１には、樹脂収納部５２ａの取り外し、交換が可能なように開閉蓋５４が設けられている。
【００２３】
ケーシング５１内の空間とポンプ出口配管４内の空間は、冷却水入口配管５７により接続されている。冷却水入口配管５７には、圧力調節弁５７ａ、圧力調節弁５７ａのケーシング側に設けられた圧力発信器５７ｂ、および圧力調節弁５７ａのとポンプ出口配管４側に設けられた止め弁５７ｃが設けられている。
【００２４】
ポンプ出口配管４から冷却水入口配管５７に流入した冷却水２０１は、ケーシング５１内に流入して、連通開口５３からフレーム３５内に流入する。イオン交換樹脂５２は、ケーシング５１内の流路を塞ぐように配されており、ケーシング５１内を通過する冷却水２０１の全量がイオン交換樹脂５２を通過する。圧力調節弁５７ａは、ポンプ１の吐出圧が直接にイオン交換樹脂５２以降に掛からないように、その下流側の圧力発信器５７ｂからの圧力信号を、イオン交換樹脂５２以降にとっての構造上の適正な値に調節する。
【００２５】
フレーム３５内の空間とポンプ入口配管３内の空間とは、冷却水出口配管５８により接続されており、冷却水出口配管５８は、フレーム３５内に連通開口３５ｂで開放されている。連通開口３５ａと連通開口３５ｂとは、フレーム３５の軸方向に回転子鉄心１２および固定子２０を挟んで互いに反対側に形成されている。
【００２６】
冷却水出口配管５８には、止め弁５８ａが設けられている。止め弁５８ａは、止め弁５７ｃとともに、回転電機１００を、ポンプ入口配管３およびポンプ出口配管４側から隔離することができる。このため、たとえば、イオン交換樹脂５２のイオン交換能力が低下した場合、回転電機１００の運転中でも、開閉蓋５４を開いて、樹脂収納部５２ａを取り出し、イオン交換樹脂５２を再生、あるいは新品と交換することができる。
【００２７】
次に、以上のように構成されている本実施形態の作用について説明する。回転電機１００が運転中で、ポンプ１が回転中は、ポンプ入口配管３内の圧力に比べてポンプ出口配管４内圧力がほぼポンプ揚程分高くなっている。ポンプ出口配管４内の水の一部は、冷却水２０１としてポンプ出口配管４から分岐した冷却水入口配管５７に流入する。冷却水２０１は、ケーシング５１に流入してイオン交換樹脂５２を通過して、連通開口５３から流出し、フレーム３５の連通開口３５ａからフレーム３５内に流入する。
【００２８】
フレーム３５内に流入した冷却水２０１は、回転子１０および固定子２０を冷却した後に、連通開口３５ｂから冷却水出口配管５８に流出してポンプ入口配管３に到達する。ポンプ出口配管４内の圧力がポンプ入口配管３内の圧力より高いことから、フレーム３５内を通過する冷却水２０１の流路は、ポンプ１の流路から見て再循環流路を構成する。また、循環用プロペラ１３によって、さらに再循環の流れの駆動力が増大する。
【００２９】
フレーム３５内における冷却能力は、冷却水２０１の流量が大きくなるほど、高くなる。一方、イオン交換樹脂５２を通過後の冷却水２０１中のイオン濃度は、冷却水２０１の流量が大きくなるほど、高くなる。すなわち、イオン除去能力は低くなる。
【００３０】
ここで、ポンプの揚程を与えられた条件として、冷却水２０１の流量の調整手段としては、再循環流路の流動抵抗、循環用プロペラ１３の有無、および循環用プロペラ１３の揚程がある。再循環流路の流動抵抗を増加させることは冷却水２０１の流量を低下させる。一方、循環用プロペラ１３を設けること、揚程を増やすことは冷却水２０１の流量を増加させる。
【００３１】
イオン除去能力は、冷却水２０１のイオン交換樹脂５２の通過時間を増加させることにより向上させることができる。冷却水２０１のイオン交換樹脂５２の通過時間を増加させることは、イオン交換樹脂５２の冷却水２０１の通過断面を増大させること、および、冷却水２０１のイオン交換樹脂５２中の通過長さを増大させることにより達成可能である。
【００３２】
以上のことから、所定のレベルの冷却能力の確保と、所定のレベルのイオン交換能力の確保がそれぞれ可能である。
【００３３】
以上のように、本実施形態による回転電機１００は、冷却水２０１中の陽イオンを除去した上でフレーム３５内に流入する。この結果、フレーム３５内の固定子巻線２２などの電圧が印加される部分の絶縁物は、陽イオンが所定のレベル以下まで除去された冷却水２０１の環境下にある。このため、水トリーの発生、進展は、大幅に抑制される。
【００３４】
［第２の実施形態］
図２は、本発明の第２の実施形態に係る回転電機の構成を示す立断面図である。本実施形態は、第１の実施形態の変形である。本第２の実施形態は、たとえば、回転界磁が、回転子の永久磁石による回転電機など、回転子からの発熱が殆どなく、積極的に冷却水により回転子を冷却しなくとも、熱伝導により十分に熱が放散される場合の実施形態である。
【００３５】
本第２の実施形態における回転電機１００は、フレーム内仕切り筒４０を有する。フレーム内仕切り筒４０は、ロータシャフト１１の回転軸を中心とした円筒状で、軸方向に延びており、両端が軸受ブラケット３６に気密に結合している。また、フレーム内仕切り筒４０は、径方向には、回転子鉄心１２の外面の外側で、かつ、固定子鉄心２１の内面の内側に設けられている。すなわち、フレーム内仕切り筒４０は、フレーム３６内を、径方向に、内側領域と外側領域の２つの区画に仕切っている。内側領域には回転子１０が、外側領域には固定子２０が、配されている。外側領域には、冷却水２０１が流れる。
【００３６】
一方、内側領域には冷却水は流れない。また、循環用プロペラは、設けられていない。内側領域内の発熱量が低い場合は、循環用プロペラからに入熱も無視できなくなるためである。なお、発熱量の程度によっては、フレーム内仕切り筒４０の表裏での熱交換を促進するために循環用プロペラを設ける方が得策である場合もあり、この場合は設けてもよい。
【００３７】
回転電機１００が運転中で、ポンプ１が回転中は、ポンプ出口配管４内の水の一部は、冷却水２０１としてポンプ出口配管４から分岐した冷却水入口配管５７に流入する。冷却水２０１は、ケーシング５１に流入してイオン交換樹脂５２を通過して、連通開口５３から流出し、フレーム３５の連通開口３５ａからフレーム３５内に流入する。
【００３８】
フレーム３５内に流入した冷却水２０１は、フレーム３６内のフレーム内仕切り筒４０の外側領域を通過し、固定子２０を冷却した後に、連通開口３５ｂから冷却水出口配管５８に流出してポンプ入口配管３に到達する。
【００３９】
以上のような本実施形態により、フレーム３５内を通過する冷却水２０１の流量は、フレーム内仕切り筒４０を設けない場合に比べて、少なくなる。この結果、イオン交換樹脂５２を通過する冷却水２０１の流速は低くなる。あるいは、イオン交換樹脂５２の冷却水２０１通過面積を減少させ、よりコンパクトにすることが可能となる。
【００４０】
さらに、冷却水２０１の流量、すなわち再循環の流量が減少することから、ポンプ１のポンプ入口配管３およびポンプ出口配管４内の水の駆動の観点からも、ポンプ１による駆動の実質的な効率の向上を図ることができる。
【００４１】
［第３の実施形態］
図３は、本発明の第３の実施形態に係る回転電機の構成を示す立断面図である。本実施形態における回転電機１００は、水中に浸漬しており、ポンプ２を駆動する。すなわち、回転電機１００は、環境水２０４の環境下にある。回転電機１００は、回転子１０、固定子２０、軸受３１、フレーム３５、および軸受ブラケット３６、およびイオン除去装置５０を有する。
【００４２】
回転子１０、固定子２０、軸受３１、フレーム３５、および軸受ブラケット３６の構成は、第１の実施形態と同様である。また、ロータシャフト１１には、循環用プロペラ１３が取り付けられている。循環用プロペラ１３は、回転子鉄心１２および固定子２０と反対方向に（図３で右方向）に、流体を駆動する。なお、方向はこの逆方向、すなわち、回転子鉄心１２および固定子２０を通過後に、イオン交換樹脂５２に流入する方向でもよい。ただし、イオン交換樹脂５２の保護上、温度上昇の程度が大きい場合は、温度上昇する前にイオン交換樹脂５２に流入する方向が望ましい。
【００４３】
イオン除去装置５０は、ケーシング５１、およびイオン交換樹脂５２を有する。ケーシング５１は、フレーム３５の外側に設けられている。ケーシング５１内の空間とフレーム３５内の空間とは、連通開口５５および連通開口５６で互いに連通している。ケーシング５１とフレーム３５とは互いにあいまって密閉空間６０を形成している。密閉空間６０内には、冷却水２０３が充満している。
【００４４】
連通開口５５と連通開口５６は、ロータシャフト１１の軸方向について、回転子鉄心１２および固定子２０を挟んで互いに反対側に位置している。ケーシング５１内には、イオン交換樹脂５２を収納した樹脂収納部５２ａが設けられている。樹脂収納部５２ａは、イオン交換樹脂５２を保持するとともに、冷却水２０３を通過可能に形成されている。
【００４５】
樹脂収納部５２ａは、ロータシャフト１１の軸方向について、連通開口５５と連通開口５６の間に設けられている。ケーシング５１内を流れる冷却水２０３は、全量がイオン交換樹脂５２を通過するように、樹脂収納部５２ａに収納されたイオン交換樹脂５２は、流路の断面を塞ぐように設けられている。
【００４６】
以上のように構成された本実施形態においては、回転電機１００が運転中の状態においては、ロータシャフト１１が回転する。この結果、循環用プロペラ１３が回転し、密閉空間６０内の冷却水２０３が駆動される。冷却水２０３は、循環用プロペラ１３から、連通開口５５を通じてケーシング５１内に流入する。ケーシング５１内に流入した冷却水２０３は、樹脂収納部５２ａ内に充填されているイオン交換樹脂５２を通過し、連通開口５６から流出しフレーム３５内に流入する。
【００４７】
フレーム３５内に流入した冷却水２０３は、回転子鉄心１２、固定子２０などフレーム３５内を冷却する。すなわち、冷却水２０３は、回転子鉄心１２、固定子２０などから熱を受け取り自身の温度を上昇させながらフレーム３５内を通過し、循環用プロペラ１３側に流出する。冷却水２０３は、このように、密閉空間６０内を循環する過程で、フレーム３５およびケーシング５１外の環境水２０４との間で熱交換し、冷却水２０３の熱は、環境水２０４に移動する。
【００４８】
このように、回転子鉄心１２、固定子２０などから発生した熱は、冷却水２０３から環境水２０４に移行し、回転電機１００の運転中の回転子鉄心１２、固定子２０などの冷却状態が維持される。
【００４９】
回転電機１００内部の水質に関しては、以上のように、回転電機１００の運転中は、冷却水２０３は、イオン交換樹脂５２を通過すること、冷却水２０３は密閉空間６０内に収納された量のみであり外部から陽イオンレベルの高い水が流入することがないこと、などから、冷却水２０３中の陽イオン濃度は、低レベルで維持される。また、イオン交換樹脂５２が飽和した場合は、ケーシング５１に設けられた開閉蓋５４からイオン交換樹脂５２を収納した樹脂収納部５２ａを出し入れして、新しいイオン交換樹脂５２に交換することが可能である。
【００５０】
以上のように、本実施形態による回転電機１００は、冷却水２０３中の陽イオンが低レベルに維持される。この結果、フレーム３５内の固定子巻線２２などの電圧が印加される部分の絶縁物は、陽イオンが所定のレベル以下まで除去された冷却水２０３の環境下にある。このため、水トリーの発生、進展は、大幅に抑制される。
【００５１】
［その他の実施形態］
以上、本発明のいくつかの実施形態を説明したが、これらの実施形態は、例として提示したものであり、発明の範囲を限定することは意図していない。たとえば、実施形態における回転電機１００では、ポンプ１あるいはポンプ２と結合してこれらを駆動する電動機の例を示したがこれには限定されない。
【００５２】
たとえば、駆動する機器、あるいは駆動される機器が水車であって、回転電機はこれに結合する発電機の場合であってもよい。また、回転電機が駆動される原動機、あるいは回転電機が駆動する負荷が水中にない場合でもよい。また、第１の実施形態では、回転電機１００が、空気などの環境雰囲気２０２中に設けられている場合を示したが、水中に設けられている場合でもよい。
【００５３】
さらに、実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５４】
１、２…ポンプ、３…ポンプ入口配管、４…ポンプ出口配管、１０…回転子、１１…ロータシャフト、１２…回転子鉄心、１３…循環用プロペラ、２０…固定子、２１…固定子鉄心、２２…固定子巻線、３１…軸受、３５…フレーム、３５ａ，３５ｂ…連通開口、３６…軸受ブラケット、４０…フレーム内仕切り筒、５０…イオン除去装置、５１…ケーシング、５２…イオン交換樹脂、５２ａ…樹脂収納部、５３…連通開口、５４…開閉蓋、５５、５６…連通開口、５７…冷却水入口配管、５７ａ…圧力調節弁、５７ｂ…圧力発信器、５７ｃ…止め弁、５８…冷却水出口配管、５８ａ…止め弁、６０…密閉空間、１００…回転電機、２０１…冷却水、２０２…環境雰囲気、２０３…冷却水、２０４…環境水
【図１】
0006427066.tif 000002
【図２】
0006427066.tif 000003
【図３】
0006427066.tif 000004